(57)【要約】【課題】  既存の戸建住宅にも容易に設置し得て、付加価値の高い住宅用散水消火設備を得ること。【解決手段】  一つの流入口と該流入口と連通する切換可能な二つの流出口を有する三方切換弁を備え、三方切換弁の流入口には公共水道管から分岐した給水本管を接続し、三方切換弁の一方の流出口には給水本管から流入する水道水を生活用水として住宅内に供給する宅内配管を接続し、三方切換弁の他方の流出口には先端にノズルを取り付けたホースを接続してなる住宅用散水消火設備であって、三方切換弁の切換手段により流入口と上記一方の流出口を連通して形成する生活用水管路と、流入口と他方の流出口を連通して形成する散水消火用水管路の何れか一方を選択的に切り換え可能とし、ホース及び三方切換弁を開閉扉付の消火栓箱に収納することにより住宅用散水消火設備を構成する。【選択図】  図１
2005185614.tif 000002
【特許請求の範囲】
【請求項１】
一つの流入口と該流入口と連通する切換可能な二つの流出口を有する三方切換弁を備え、
該三方切換弁の流入口には、公共水道管から分岐した給水本管を接続し、
上記三方切換弁の一方の流出口には、上記給水本管から流入する水道水を生活用水として住宅内に供給する宅内配管を接続し、
上記三方切換弁の他方の流出口には、先端にノズルを取り付けたホースを接続してなる住宅用散水消火設備であって、
上記三方切換弁の切換手段により、上記流入口と上記一方の流出口を連通して形成する生活用水管路と、上記流入口と上記他方の流出口を連通して形成する散水消火用水管路の何れか一方を選択的に切り換え可能とし、
さらに上記ホース及び上記三方切換弁を開閉扉付の消火栓箱に収納したものであることを特徴とする住宅用散水消火設備。
【請求項２】
上記切換手段を手動切換レバーにより構成して該レバーの回動により上記三方切換弁の切り換えを行うように構成し、
当該切換レバーの回動操作により上記三方切換弁にて上記生活用水管路が形成された状態においては、上記切換レバーが上記消火栓箱内に収納されて上記開閉扉を閉鎖し得るように構成し、
上記切換レバーの回動操作により上記三方切換弁にて上記散水消火用水管路が形成された状態においては、上記切換レバーが上記開閉扉の閉鎖を阻止する閉鎖妨害位置に位置するように構成したものであることを特徴とする請求項１記載の住宅用散水消火設備。
【請求項３】
上記開閉扉を透明又は半透明としたものであることを特徴とする請求項１又は２記載の住宅用散水消火設備。
【請求項４】
上記消火栓箱を地面に立設されたスタンド上に固定し、上記給水本管と宅内配管とを上記スタンド内に配管したものであることを特徴とする請求項１〜３の何れかに記載の住宅用散水消火設備。
【請求項５】
上記消火栓箱を住宅内の壁面に取り付けたものであることを特徴とする請求項１〜３の何れかに記載の住宅用散水消火設備。
【発明の詳細な説明】
【技術分野】
【０００１】
本発明は、住宅用の散水消火設備に係り、例えば戸建て住宅等に好適な住宅用散水消火設備に関する。
【背景技術】
【０００２】
近年、一般家庭への消火設備の設置が望まれているが、一般家庭においては、消火用水を常時貯水しておくことは容易でないため、従来、水道水を消火用水として使用する消火設備が提案されている。
【０００３】
この種の家庭用の消火設備は、消火用配管を家庭用水道配管から分岐する構造のものが多いが、水道水は家庭内で様々な用途に生活用水として頻繁に使用されているため、火災が発生し、いざ消火用水として使用する必要が生じた場合において、水量不足となり十分な消火効果が期待できないという問題がある。また、普段は使用されない消火用配管内に長時間滞留した水（いわゆる死に水）が家庭用配管内に混入して生活用水を汚染してしまうという問題もある。
【０００４】
これらの問題を解決するものとして、特許文献１記載の消火設備は、水道本管に三方電磁弁を取り付け、消火用配管側と一般用給水配管側に選択的に切換えるように構成したものである。この消火用配管は、予め消火が必要な箇所に設置されたスプリンクラと接続されており、通常時は、水道本管と一般用給水配管を連通させておくことで、水道本管から供給される上水を家庭内生活用水としての使用に供し、消火時には熱感知センサからの信号により三方電磁弁を自動的に切換えて一般用給水配管側を遮断し、水道本管と消火用配管と連通させることで、水道本管から供給される上水の全量を上記各箇所に設置したスプリンクラに送水し、消火用水としての使用に供することを可能にしている。
【０００５】
特許文献２記載の消火設備は、上水道から供給される上水を一旦貯水槽に貯留しておき、消火の際には、この上水をポンプで吸い上げて、予め宅内に配設されたスプリンクラに消火用水として供給するように構成したものである。従って、ポンプの運転により所定の水量を確保できると共に、上水道と貯水槽を分離しているので、滞留水の家庭用配管内への混入は起こり得ないことを特徴としている。
【０００６】
【特許文献１】実開平５−９５６３号公報
【特許文献２】特開平１０−１２７８１２号公報
【発明の開示】
【発明が解決しようとする課題】
【０００７】
ところで、特許文献１、２の消火設備は、予めスプリンクラを設置した箇所にしか放水することができず、任意の発火源に集中して放水したい場合等に柔軟に対応することができない。その上、建物内部に大掛かりな配管工事を施す必要が生じるため、既存の住宅に適用する場合は、費用的にも工期的にも負担が大きくなると共に、住宅によっては適用できないケースも考えられる。
【０００８】
また、特許文献２記載の消火設備は、一旦貯留した上水をポンプで吸い上げてスプリンクラに供給するため、ポンプの設置に伴うイニシャルコスト及び運転、保守管理にかかるランニングコストの負担が大きい。
【０００９】
また、上記文献１，２に記載の消火設備は消火のみを目的としたものであり、戸建て住宅等の一般家庭に適用するに際しては、他の用途にも使用できるといった付加価値の高いものとすることが望ましい。
【００１０】
本発明は、このような問題点に鑑みてなされたものであり、既存の戸建て住宅にも容易に設置することができると共に、消火用以外の用途にも使用し得る住宅用散水消火設備を提供することを目的とするものである。
【課題を解決するための手段】
【００１１】
本発明は上記課題を解決するために、
第１に、一つの流入口と該流入口と連通する切換可能な二つの流出口を有する三方切換弁を備え、該三方切換弁の流入口には、公共水道管から分岐した給水本管を接続し、上記三方切換弁の一方の流出口には、上記給水本管から流入する水道水を生活用水として住宅内に供給する宅内配管を接続し、上記三方切換弁の他方の流出口には、先端にノズルを取り付けたホースを接続してなる住宅用散水消火設備であって、上記三方切換弁の切換手段により、上記流入口と上記一方の流出口を連通して形成する生活用水管路と、上記流入口と上記他方の流出口を連通して形成する散水消火用水管路の何れか一方を選択的に切り換え可能とし、さらに上記ホース及び上記三方切換弁を開閉扉付の消火栓箱に収納したものであることを特徴とする住宅用散水消火設備により構成されるものである。
【００１２】
このように構成すると、ホースの全長の範囲内における任意の箇所にノズルを移動させることができるため、特定の発火源に集中して放水ができると共に、例えば庭への散水や洗車等の消火以外の他の用途にも使用することができる。また、散水消火用水管路の形成された状態において、水道水の全量が散水消火ホースに供給されるため、消火に必要な水量を確保することができる。また、上記ホースの取り出しと、上記三方切換弁を切換えて散水消火用水管路を選択する行為が消火栓箱内で行えるため、消火準備作業が簡便かつ円滑に実施できる。
【００１３】
第２に、上記切換手段を手動切換レバーにより構成して該レバーの回動により上記三方切換弁の切換を行うように構成し、当該切換レバーの回動操作により上記三方切換弁にて上記生活用水管路が形成された状態においては、上記切換レバーが上記消火栓箱内に収納されて上記開閉扉を閉鎖し得るように構成し、上記切換レバーの回動操作により上記三方切換弁にて上記散水消火用水管路が形成された状態においては、上記切換レバーが上記開閉扉の閉鎖を阻止する閉鎖妨害位置に位置するように構成したものであることを特徴とする上記第１記載の住宅用散水消火設備により構成されるものである。
【００１４】
従って、散水消火用水管路が形成された消火又は散水状態においては、上記切換レバーにより開閉扉の閉鎖が不能となるため、三方切換弁の切り換え忘れを防止することができる。上記切換レバーの閉鎖妨害位置とは、例えば上記散水消火用水管路の形成状態においては当該レバーが水平回動状態となり、当該レバーの先端が開閉扉内面に当接して開閉扉の閉鎖を阻止する位置をいう。
【００１５】
第３に、上記開閉扉を透明又は半透明としたものであることを特徴とする上記第１又は２記載の住宅用散水消火設備により構成されるものである。
【００１６】
このように構成すると、透明又は半透明の開閉扉を通して箱内部のホースや三方切換弁を視認できるため、当該設備が消火設備であることを容易に確認することができ、当該消火栓箱の設置場所によっては、住人のみならず例えば外部の人も使用可能な消火設備を実現できる。
【００１７】
第４に、上記消火栓箱を地面に立設されたスタンド上に固定し、上記給水本管と宅内配管とを上記スタンド内に配管したものであることを特徴とする上記第１〜３の何れかに記載の住宅用散水消火設備により構成されるものである。
【００１８】
このように構成すると、例えば住宅外の玄関近傍位置に当該消火栓箱を自立状態で設置することにより、住人のみならず例えば外部の人にも火災発生を通報でき、外部の人等も消火活動を行い得る消火設備を実現し得る。
【００１９】
第５に、上記消火栓箱を住宅内の壁面に取り付けたものであることを特徴とする上記第１〜３の何れかに記載の住宅用散水消火設備により構成されるものである。
【発明の効果】
【００２０】
本発明によれば、予めスプリンクラ等を建物内部に設置する必要がなく、新築住宅のみならず既存の住宅にも後付け設置することが容易であり、いわゆる死に水対策も必要ないので、比較的簡単な工事で低価格の住宅用散水消火設備を実現することができる。
【００２１】
また、ホースの長さは住宅の規模に合わせて自由に選択できると共に、消火位置に対する柔軟性を有しており、任意箇所に集中的に放水することができ、効率的な消火活動を行うことができる。
【００２２】
また、任意に三方切換弁を切換えることができるので、消火用に限られることなく、例えば庭の散水や洗車等の他の用途にも使用することができ、住宅用として付加価値の高い消火設備を実現することができる。
【発明を実施するための最良の形態】
【００２３】
本発明の一実施形態を添付図面に基づいて詳細に説明する。図１は本発明に係る住宅用散水消火設備の一実施形態を示すシステム構成図である。
【００２４】
同図において、２は、住宅１０の敷地内に引き込まれた給水本管であり、上流側は公共水道管１に量水器２ａを介して接続されており、該公共水道管１から上水が供給されるものである。この給水本管２の下流側には、上記敷地内適所において鉛直上方に向けて配管された起立管２ｂが連続して設けられており、該起立管２ｂの先端が上記住宅１０の例えば玄関外部に設置された消火栓箱６（後述）内に配管され、該消火栓箱６内の三方切換弁５の流入口５ａに接続されている。
【００２５】
３は、上記住宅内に配管された宅内配管であり、その上流側に上記起立管２ｂと平行に起立管３ａが設けられ、該起立管３ａの先端が上記消火栓箱６内の上記三方切換弁５における第１流出口５ｂに接続されている。この宅内配管３は、上記起立管３ａの下流側に連続して住宅１０内の各所に配管されており、上記公共水道管１から上記三方切換弁５の上記流入口５ａ，第１流出口５ｂを介して上記住宅１０内の水設備に水道水を供給するものである。具体的には、上記宅内配管３は台所１０ａ及び洗面所１０ｂ、浴室１０ｄの各蛇口Ｐに水道水を供給し、さらにトイレ１０ｃの給水タンクに水道水を供給する。
【００２６】
４は、上記三方切換弁５の第２流出口５ｃに接続された散水消火ホース（ホース）であり、ホース本体は上記消火栓箱６内に設けられた一対のホースハンガー６ｆ，６ｆに巻回収納されている。この散水消火ホース４の先端部には消火水を噴出状態又は停止状態に切換可能な開閉バルブを具備した散水消火ノズル（ノズル）４ａが設けられており、当該散水消火ノズル４ａの上記バルブを閉鎖して消火水の放出を停止できるように構成されている。尚、該散水消火ノズル４ａに絞り機構を設けて散水量や散水範囲を調節できるようにすると、より効果的に散水消火を行うことができる。
【００２７】
５は、上記消火栓箱６内に設置された三方切換弁であり、上述のように、その流入口５ａには上記給水本管２の起立管２ｂの端部が接続され、第１流出口５ｂには宅内配管３の起立管３ａの端部が接続され、第２流出口５ｃには上記散水消火ホース４の基端部（着脱部）が接続されている。
【００２８】
かかる三方切換弁５において（図４参照）、５ｅは上記流入口５ａと両流出口５ｂ、５ｃの分岐部に設けられたボール弁であり、このボール弁５ｅには該弁５ｅを９０度回転駆動するための駆動軸５ｆが接続されている（図５参照）。また、該駆動軸５ｆの一端は上記切換弁５の筺体外部に突出しており、当該一端に該ボール弁５ｅを９０度回転させて流水路を切り換えるための手動切換レバー５ｄの基端が接続固定されている。
【００２９】
そして、上記手動切換レバー５ｄを図４（ａ）に示すように鉛直方向に起立させると、上記ボール弁５ｅが上記散水消火ホース４への第２流出口５ｃを完全に閉鎖すると共に、上記流入口５ａと第１流出口５ｂを連通させて上記給水本管２と上記宅内配管３を連通して、上記水道水の全量を上記宅内配管３に供給する「生活用水管路」を形成し（上記切換レバー５ｄのこの位置を「通常給水位置」という）、上記切換レバー５ｄを上記鉛直起立状態から９０度回転させて図４（ｂ）に示すような水平状態に回動した場合は、上記ボール弁５ｅも９０度回転し、該ボール弁５ｅが上記第１流出口５ｂを完全に閉鎖すると共に、上記流入口５ａと上記第２流出口５ｃを連通させて上記給水本管２から流入する水道水の全量を上記散水消火ホース４に供給する「散水消火用水管路」（上記切換レバー５ｄのこの位置を「散水消火位置」という）を形成し得るように構成している。
【００３０】
上述のように、上記ボール弁５ｅは上記流入口５ａと上記流出口５ｂ若しくは５ｃのいずれか一方を選択的に連通させるものであり、一方の流出口５ｂ又は５ｃと連通した状態では他方の流出口５ｃ又は５ｄは遮断されるように構成されている。従って、上記生活用水管路形成時には流路Ｑ（図４（ａ））のみに水道水が流れることになり、上記第２流出口５ｃ側は完全に遮断される。また、上記散水消火用水管路形成時には流路Ｒ（図４（ｂ））のみに水道水が流れ、第１流出口５ｂ側は完全に遮断されるので、上記住宅１０内で生活用水として使用中であっても水道水の供給が停止し、上記給水本管２から供給される水道水の全量を散水消火用水として使用することが可能となり、消火に必要な水量の確保ができる。
【００３１】
また、上記三方切換弁５の上記通常給水位置（図４（ａ））においては、散水消火ホース４には全く水道水が供給されないため、いわゆる死に水が発生することはなく、生活用水への死に水の混入のおそれがないし、死に水対策を別途施す必要もない。
【００３２】
次に、上記消火栓箱６について図２、図３に基づいて詳説する。該消火栓箱６において、６’は、円形の底板６ａ及び筒状の外周壁６ｂからなる円筒状の本体であり、該本体６’の前面側には上記外周壁６ｂに取り付けられた蝶番６ｃにより回動自在であって上記本体前面を開閉する円形の開閉扉６ｄが設けられている。この円形の開閉扉６ｄは透明又は半透明のアクリル樹脂等により形成されており、該開閉扉６ｄの閉鎖状態においても、内部の散水消火ホース４、三方切換弁５等が目視できるよう構成されている。また、上記開閉扉６ｄの表面には「散水消火栓」等の文字６ｅを赤色等で記載して、当該本体６’が消火栓であることを何人にも警告し得るように構成している。
【００３３】
上記消火栓箱６内部の上記底板６ａ上には上記ホースハンガー６ｆ、６ｆが所定距離を以って上下方向に２箇所固設されており、当該ホースハンガー６ｆに上記散水消火ホース４が巻回され収納されている。これらホースハンガー６ｆは、上記ホース４の径や延長を考慮して、上記ホース４全長を巻き掛けた状態で該ホース４を上記消火栓箱６に格納できるように設置位置や離間距離が適宜選択される。なお、例えば回転式ドラムを上記消火栓箱６内に設置して、上記ホース４をドラム外周に巻き掛けて格納することも可能であり、このようにすると上記ホース４の取り出し及び巻き込みが容易になり、迅速な消火活動に資することができる。
【００３４】
また、消火栓箱６内には、上記散水消火ホース４に隣接して上記三方切換弁５が固設されている。この三方切換弁５の上記切換レバー５ｄは、鉛直方向に起立した上記通常位置においては、図２（ａ）に示すように、上記消火栓箱６内に収納され、かかる通常給水位置において上記開閉扉６ｄを支障なく閉鎖可能になっている。一方、水平方向に倒した上記散水消火位置においては、図２（ｂ）に示すように該切換レバー５ｄの先端部が上記消火栓箱６の前面から突出し、当該先端部が上記開閉扉６ｄの閉鎖前に該扉６ｄ内側面に当接することにより、当該開閉扉６ｄの閉鎖を阻止するように構成している（上記切換レバー５ｄのこの位置を「閉鎖妨害位置」という）。
【００３５】
従って、上記レバー５ｄが水平回動した散水消火位置のとき、すなわち散水消火用水管路形成時には上記開閉扉６ｄを完全に閉じることができないため、上記開閉扉６ｄを閉じるに際しては必ず上記切換レバー５ｄを起立回動させることを強制することで、散水消火後に生活用水管路への切り換えを忘れてしまうことを防止している。
【００３６】
７は、上記消火栓箱６をその先端部において固定するスタンドであり、例えば上記住宅１０外部の玄関近傍位置にコンクリート製の基礎７ａを形成し、当該基礎７ａの上に起立状態で固定される。上記給水本管２は図２に示すように地下から上記基礎７ａを介して上記スタンド７内を起立管２ｂとして配管され、上記消火栓箱６内の上記三方切換弁５の上記流入口５ａに接続されている。また、上記宅内配管３の上記起立管３ａは同様に地下から上記基礎７ａを介して上記スタンド７内を起立管３ａとして配管され、上記三方切換弁５の第１流入口５ｂに接続されている。尚、上記スタンド７が破損すると上記配管に悪影響を及ぼすことになるので、上記スタンド７は鉄等の強固な材質で形成され、その表面には防錆処理が施されている。また、上記消火栓箱６と上記スタンド７は溶接固定されている。なお、これらの材質及び固定方法は上記のものに限定はされず、配管の毀損を防止できるものであればよい。
【００３７】
上記消火栓箱６を設置する箇所の地盤がアスファルトやコンクリート等の土木構造物である場合には、上記スタンド７をアンカーボルト等により地盤に直接固定することが可能であるが、庭や植え込み等に設置する場合には、倒壊を防止するため、コンクリート等により安定した上記基礎７ａを設け、その上に固定する必要がある。また、消火作業を行い易くするために、上記消火栓箱６をある程度の高さに設置するのが望ましく、上記スタンド７の高さ（長さ）を調節することで対応できる。
【００３８】
また、上記消火栓箱６は上述のようにスタンド７で支持する他に、図３に示すようにスタンド７を設けずに上記消火栓箱６のみを住宅内又は住宅外の壁面に埋め込む等して取り付けて使用することもできる。また、上記スタンド７を使用する場合においても、屋外に限らず、屋内の適所に設置することも可能である。
【００３９】
８は、上記消火栓箱６内に設けられた赤色灯であり、上記透明の開閉扉６ｄを介して視認することができるように設けられるものである。この赤色灯８を取り付けることで、暗闇の中でも上記消火栓箱６の位置が容易に分かり、迅速な消火活動を行うことができる。９は、同じく上記消火栓箱６内に設けられた火災報知スピーカであり、後述の火災感知器１０ｅの火災検出に基づいて警報音を発するものである。
【００４０】
次に、本発明に関する火災感知、警報及び通報等に関する電気的構成を説明する。尚、以下に説明する通報等の電気的構成は、本発明の消火栓設備に必ず必要なものではなく、以下の電気的構成がなくても、本発明の目的は達成されるものである。
【００４１】
図１において、１０ｅ，１０ｅは、住宅１０の適所（例えば、各部屋毎）の天井に固設された火災感知器であり、火災の発生に伴う煙、熱を検出したとき、検出信号を火災自動通報装置１０ｆに送出するものである。１０ｆは、その出力部に上記火災報知スピーカ９が接続された火災自動通報装置であり、上記検出信号の受信に基づいて上記スピーカ９に警報信号を送出し、これにより上記スピーカ９を駆動して警報音又は音声等により火災発生を報知するものである。尚、このとき、火災自動通報装置１０ｆと上記赤色灯８を接続し、上記通報装置１０ｆにより上記赤色灯８を点滅させたり、赤色灯８としてパトライトを設けて該パトライトを駆動する等の構成とすることにより、より効果的に火災発生を報知することができ、例えば通行人等の外部の人にも早期に火災発生を通報することができる。また、上記火災自動通報装置を一般電話回線に接続し、上記検出信号の受信に基づいて所定の場所（例えば消防署）に自動的に通報したり、所定の携帯電話に自動通報するように構成することができる。
【００４２】
上述のように構成される住宅用散水消火設備の動作について以下説明する。火災が発生していない状態においては、消火栓箱６内の三方切換弁５の切換レバー５ｄは鉛直方向に起立した通常給水位置（生活用水管路形成状態）となっている。従って、公共水道管１から供給される水道水は、量水器２ａを介して住宅１０内に設置された給水本管２、三方切換弁５の流入口５ａ、第１流出口５ｂを通って、宅内配管３に流入し、住宅１０内の各所の蛇口Ｐ及びトイレ１０ｃの末端まで充満した状態となっている。このとき、上記三方切換弁５の第２流出口５ｃは閉鎖されているため、上記散水消火ホース６は内部に水の存在しない状態となる。従って、かかる状態においては、上記住宅１０内の水設備、例えば、台所１０ａ及び洗面所１０ｂ、トイレ１０ｃ、浴室１０ｄにおいて上記水道水を生活用水として使用することができる。
【００４３】
ここで、住宅１０内外の何れかの箇所で火災が発生した場合は、消火者は上記消火栓箱６の開閉扉６ｄを開いて、三方切換弁５の切換レバー５ｄを手前方向に水平に倒して散水消火位置とし、かつ散水消火ホース４の散水消火ノズル４ａを持って該ホース４を解きながら火災現場まで急行し、火災発生箇所に上記散水消火ノズル４ａを向けて該ノズル４ａの開閉バルブを開く。尚、上記火災感知器１０ｅを設置した場合は、上記火災自動通報装置１０ｆによる上記火災報知スピーカ９の警報音により火災発生を知ることができる。また、上記火災自動通報装置１０ｆから電話回線を通じて例えば消防署、特定の携帯電話等への通報が行われる。
【００４４】
すると、上記三方切換弁５の第１流出口５ｂは閉鎖され、流入口５ａと第２流出口５ｃが連通し散水消火用水管路が形成されるため、給水本管２から上記弁５内に供給される水道水は、その全量が上記散水消火ホース４内に流入し、所定の水圧にて散水消火ノズル４ａから火災発生箇所に向けて放水することができる。このとき、上記宅内配管３側は完全に閉鎖されるため、生活用水を使用することはできないが、給水本管２からの水道水の全量を消火作業にあてることができるため、消火用水としての必要な水量を確保することができ、水量不足となるおそれはない。
【００４５】
消火後は、上記切換レバー５ｄを通常時の鉛直に起立した状態に戻すことで、上記三方切換弁５内の管路を生活用水管路に切換えて、生活用水として使用する状態（生活用水管路形成状態）に戻し、上記散水消火ホース４内の水を抜いて上記ホースホルダー６ｆに巻き掛け収納し、上記開閉扉６ｄを閉鎖する。
【００４６】
また、消火作業中は上記切換レバー５ｄが水平回動状態となるため、上記開閉扉６ｄを閉鎖することはできず、これにより第三者に対して消火作業中であることを報知することができる。また、消火作業が終了した場合において、上記切換レバー５ｄが水平回動状態（閉鎖妨害位置）のままでは開閉扉６ｄを閉鎖することができないため、消火者は必ず上記切換レバー５ｄを鉛直状態に戻してから開閉扉６ｄを閉鎖することになる。従って、宅内配管３への切り換え忘れを防止することができる。
【００４７】
また、上記切換レバー５ｄによる管路の切換は任意に手動で行い得るようにしているので、火災発生時以外にも該レバー５ｄを任意に散水消火管路に切換えることができる。従って、庭への散水や、洗車、家屋の外壁の洗浄等の用途に使用することが可能である。
【００４８】
以上のように、本発明によれば、従来のように、予めスプリンクラ設備を建物内部に配管設置する必要がなく、新築住宅のみならず既存の住宅にも後付け設置することが容易であり、いわゆる死に水対策も必要ないので、比較的簡単な工事で低価格の住宅用散水消火設備を実現することができる。
【００４９】
また、散水消火ホース４の長さは住宅１０の規模に合わせて自由に選択できると共に消火位置に対する柔軟性をも有しており、任意箇所に集中的に放水することができ、効率的な消火活動が実現できる。
【００５０】
また、本発明に係る散水消火設備は、任意に三方切換弁５を切り換えることができるので、消火用に限られることなく、例えば庭の散水や洗車、住宅外壁の清掃等の他の用途（例えば消火訓練等）にも使用することができ、住宅用として付加価値の高い消火設備を実現することができる。
【００５１】
また、三方切換弁５により散水消火ホース４と宅内配管３とを切り換える構成であるから、消火用水と生活用水の同時使用を確実に避けることができ、消火時において必要な水量及び水勢を確保することができる。
【００５２】
また、住人等が消火訓練を容易に行うことができるため、火災発生時において戸惑うことなくおちついて消火活動を行うことができる。
【００５３】
また、住宅外部に消火栓箱を自立状態で設置することにより、住人のみならず例えば外部の人にも火災発生を通報でき、外部の人等も消火活動を行うことのできる消火設備を実現し得る。
【００５４】
また、消火栓箱６の開閉扉６ｄを透明又は半透明にしたので、住人のみならず外部の人（例えば通行人）でも躊躇することなく当該散水消火設備を使用することができ、住宅における火災の初期消火に極めて有効である。
【図面の簡単な説明】
【００５５】
【図１】本発明に係る住宅用散水消火設備の一実施形態を示すシステム構成図である。
【図２】（ａ）は同上設備における消火栓箱の一実施形態を示す正面図であり、（ｂ）はその側面図である。
【図３】同上設備における消火栓箱の開閉扉が閉じた状態を示す正面図である。
【図４】同上設備における三方切換弁の一実施形態を示す図であり、（ａ）は生活用水管路形成時を示す側断面図、（ｂ）は散水消火用水管路形成時を示す側断面図である。
【図５】同上三方切換弁の切換レバーとボール弁との関係を示す正面断面図である。
【符号の説明】
【００５６】
１          公共水道管
２          給水本管
３          宅内配管
４          散水消火ホース
４ａ        散水消火ノズル
５          三方切換弁
５ａ        流入口
５ｂ        第１流出口
５ｃ        第２流出口
５ｄ        切換レバー
６          消火栓箱
６ｄ        開閉扉
７          スタンド
１０        住宅
【図１】
2005185614.tif 000003
【図２】
2005185614.tif 000004
【図３】
2005185614.tif 000005
【図４】
2005185614.tif 000006
【図５】
2005185614.tif 000007